(57)【要約】  マトリクスディスプレイ用の走査バックライトユニット（ＢＵ）は、複数の光源（Ｌ１，…，Ｌｎ）を有する。これら光源（Ｌ１，…，Ｌｎ）に対してドライバ（２）から駆動信号（Ｄ１，…，Ｄｎ）が与えられる。制御部（３）はドライバ（２）を制御して、能動状態の発光領域（５）が得られるように光源（Ｌ１（…，Ｌｎ））を個別に発光させる。少なくとも２つの光源（Ｌ１，…，Ｌｎ）からなるグループに対して光センサ（４）が関連付けられており、このグループの輝度（ＬＵ）を示す検出信号（ＳＥＳ）を与えるようになっている。制御部（３）は、このグループの光源（Ｌ１，…，Ｌｎ）の互いに異なるサブセットが発光する異なる時点（ｔｓ１，…，ｔｓｎ）において検出信号（ＳＥＳ）を読み取ってドライバ（２）を制御し、このグループの各光源（Ｌ１，…，Ｌｎ）の輝度（ＬＵ１，…，ＬＵｎ）が検出信号（ＳＥＳ）に応じたものとなるように、当該グループの光源（Ｌ１，…，Ｌｎ）に出力レベルを与える。
2007537477.tif 000002
【特許請求の範囲】
【請求項１】
マトリクスディスプレイ用の走査バックライトユニットであって、
複数の光源と、
これら光源に駆動信号を供給するドライバと、
このドライバを制御して、能動状態の発光領域が得られるように光源を個別に発光させる制御部と、
少なくとも２つの光源からなるグループに関連付けられており、このグループの輝度を示す検出信号を与える第１光センサと
を有しており、
前記制御部は、前記グループの光源の互いに異なるサブセットが発光する異なる時点において検出信号を読み取ってドライバを制御し、このグループの各光源の輝度が検出信号に応じたものとなるように、当該グループの光源に出力レベルを与えるように構成されている走査バックライトユニット。
【請求項２】
請求項１に記載の走査バックライトユニットにおいて、
前記制御部は、ドライバを制御して、各光源の輝度が実質的に等しくなるように出力レベルを与えるようになっている走査バックライトユニット。
【請求項３】
請求項１に記載の走査バックライトユニットにおいて、
前記制御部は、
予め記憶される値を記憶するためのメモリと、
異なる時点における検出信号又はこの検出信号から得られた信号と、前記予め記憶された値とを比較して、光源に与える出力レベルを制御し、検出信号又はこの検出信号から得られた信号と、前記予め記憶された値との間の差違を最小化するコンパレータと
を有する走査バックライトユニット。
【請求項４】
請求項１に記載の走査バックライトユニットにおいて、
前記制御部は更に、異なる時点の各々における検出信号を、与えられる出力レベルの関数として異なる光源の輝度を示す関数の関連する加重和と等式化することにより得られる方程式系を解くための計算機を有しており、
前記加重和の加重係数が、前記第１光センサの位置と、各光源の位置との距離に応じたものである走査バックライトユニット。
【請求項５】
請求項４に記載の走査バックライトユニットにおいて、
前記制御部は、前記加重係数及び前記関数の双方又はいずれか一方を記憶するための他のメモリを更に有する走査バックライトユニット。
【請求項６】
請求項４に記載の走査バックライトユニットにおいて、
前記制御部は、ドライバを制御して、発光している光源に所定の出力レベルを与えるようになっており、
前記計算機は、方程式系から前記加重係数を決定するように構成されている
走査バックライトユニット。
【請求項７】
請求項４に記載の走査バックライトユニットにおいて、
前記制御部は、ドライバを制御して、前記光源に１つずつ所定の出力を供給するようになっており、
前記計算機は、種々の光源に関する前記加重係数を決定するように構成されている走査バックライトユニット。
【請求項８】
請求項７に記載の走査バックライトユニットにおいて、
前記制御部は、ドライバを制御して、前記光源に所定の同じ出力レベルを供給するようになっており、
前記計算機は、異なる時点における検出信号から、出力レベルの単一項を有する多項式である前記関数を決定するようになっている
走査バックライトユニット。
【請求項９】
請求項７に記載の走査バックライトユニット、
前記制御部は、ドライバを制御して、前記光源の各々に複数の所定の出力レベルを供給するようになっており，
前記計算機は、関連する検出信号から前記関数を決定するようになっている
走査バックライトユニット。
【請求項１０】
請求項４に記載の走査バックライトユニットにおいて、
前記計算機は、発光している前記光源に異なる出力レベルを与える異なる走査期間における対応する時点の検出信号を用いることにより、前記関数を決定するよう構成されており、
これら異なる走査期間の各々が、全光源を発光させる繰返しシーケンスに必要な期間である走査バックライトユニット。
【請求項１１】
請求項４に記載の走査バックライトユニットにおいて、
前記制御部は、前記グループの光源のうち同じ光源が発光する複数の対応する時点における複数の検出信号を取り出し、前記光源の輝度の時間挙動を決定する複数の方程式系を得るようになっている走査バックライトユニット。
【請求項１２】
請求項４に記載の走査バックライトユニットにおいて，
前記制御部は、ドライバを制御して、種々の走査期間の対応する時点で異なるデューティサイクルを有する駆動信号を、関連する光源に供給することにより、前記光源に所定の出力レベルを供給するようになっており、
前記計算機は、前記種々の走査期間の対応する時点における検出信号から前記関数を決定するようになっており、
これら種々の走査期間の各々が、全光源を発光させる繰返しシーケンスに必要な期間である走査バックライトユニット。
【請求項１３】
請求項１に記載の走査バックライトユニットにおいて、
この走査バックライトユニットは、前記光源のそれぞれの光を受けるように配置された単一の第１光センサを有する走査バックライトユニット。
【請求項１４】
請求項１に記載の走査バックライトユニットにおいて、
前記光源は、第１色の光を発光する第１光源と、この第１色と異なる第２色の光を発光する第２光源とを有し、
前記制御部は、前記第１光源及び前記第２光源を時間的に順次に発光させるようになっており、
前記単一の第１センサは、前記第１色の光及び前記第２色の光の双方を検出するものである走査バックライトユニット。
【請求項１５】
請求項１に記載の走査バックライトユニットにおいて、
前記光源は、第１色の光を発光する第１光源と、  この第１色と異なる第２色の光を発光する第２光源とを有し、
この走査バックライトユニットは、前記第２色の光を検出する第２センサを有しており、前記第１センサは、前記第１色の光を検出するようになっており、
前記制御部は、ドライバを制御して、前記第１光源及び前記第２光源を時間的に順次に発光させるようになっている走査バックライトユニット。
【請求項１６】
請求項１５に記載の走査バックライトユニットにおいて、
前記制御部は、前記第１光源に与えられる出力レベルと、前記第２光源に与えられる出力レベルとの比率を、前記第１センサからの第１検出信号及び前記第２センサからの第２検出信号のそれぞれに応じて制御し、前記第１光源及び前記第２光源の輝度間の比率を実質的に一定にするようになっている走査バックライトユニット。
【請求項１７】
請求項１に記載の走査バックライトユニットにおいて、
前記光源はランプである走査バックライトユニット。
【請求項１８】
請求項１７に記載の走査バックライトユニットにおいて、
前記ランプの形状は細長状であり、単一のランプが前記発光領域の１つに関連している走査バックライトユニット。
【請求項１９】
請求項１に記載の走査バックライトユニットにおいて、
前記光源のそれぞれが、複数の発光素子を有する走査バックライトユニット。
【請求項２０】
請求項１９に記載の走査バックライトユニットにおいて、
前記発光素子は発光ダイオードである走査バックライトユニット。
【請求項２１】
マトリクスディスプレイ装置を照射するための請求項１に記載の走査バックライトユニットと、当該マトリクスディスプレイ装置とを有する装置。
【請求項２２】
光源と、少なくとも２つの前記光源からなるグループに関連付けられた光センサであって、このセンサの位置における輝度を示す検出信号を与える当該光センサとを有する走査バックライトユニットを具えるマトリクスディスプレイの照射方法において、
前記光源に駆動信号を与え、これら光源を個別に発光させ能動状態の発光領域を得る処理と、
前記グループの光源の異なるサブセットが発光する異なる時点において検出信号を読み取る処理と、
前記グループの各光源の輝度が、前記検出信号に基づいたものとなるように当該グループの光源に出力レベルを与える処理を制御する制御処理と
を有するマトリクスディスプレイの照射方法。
【発明の詳細な説明】
【技術分野】
【０００１】
本発明は、マトリクスディスプレイ用の走査バックライトユニットと、このような走査バックライトユニットを有する装置と、マトリクスディスプレイの照射方法とに関するものである。
【背景技術】
【０００２】
米国特許出願公開第２００３／００１６２０５号明細書には、液晶表示装置のバックライトとして使用される照射ユニットが開示されている。このバックライトは、動画に対して生じる不鮮明化効果を低減させるために、フレーム周期の一部でのみ局所的にターンオンされるようになっている。このようなバックライト照射は、通常、走査バックライト照射と称される。この照射ユニットは、液晶ディスプレイの垂直走査方向に配置された複数の光源及び関連する発光領域を有する。すなわち、この方向は、ディスプレイのピクセルの行を選択する複数ゲートラインが順次駆動する方向である。発光領域に関連する発光光源は、ピクセルのラインを走査するのに同期して順次にオン及びオフされる。光感応素子は、それぞれの発光光源に関連している。この光感応素子は、関連する発光光源の輝度を制御回路にフィードバックし、この制御回路は、各発光領域間の輝度の差が最小になるよう発光光源に供給される駆動信号を変化させる。
【０００３】
このように、走査バックライトは、マトリクスディスプレイ全体を常に照射する一定の光面を形成するのではなく、比較的短い期間にのみ存在する光領域を生じるものである。この比較的短い期間とは、フレーム周期より短いものである。このことにより、移動する物体を追跡する人間の目による統一化が低減されるため、不鮮明化作用が視覚的に分かりにくくなるという利点が得られる。更に、光があたっていない場合には、マトリクスディスプレイのピクセルの光学挙動を変化させるスイッチング期間を選択的に生ぜしめることができる。通常、走査バックライトにおいては、特定の１つの光源を、１つの関連する発光領域に集中させる必要があり、マトリクスディスプレイの全領域に亘り光が分散しないようにする。その結果として、光源の輝度の違いが相当程度視覚的に分かるようになってしまう。
【発明の開示】
【０００４】
本発明の目的は、必要とされる光センサがより少なくてすむマトリクスディスプレイ用の走査バックライトユニットを提供することにある。
【０００５】
本発明の第１の観点により、請求項１に記載のマトリクスディスプレイ用の走査バックライトユニットを提供する。本発明の第２の観点により、請求項２１に記載のこのような走査バックライトユニットを有する装置を提供する。本発明の第３の観点により、請求項２２に記載のマトリクスディスプレイの照射方法を提供する。本発明の有利な例は、従属請求項に記載されている。
【０００６】
走査バックライトユニットにおいては、種々の発光領域に光源が配置されている。これら光源は、別個に、例えば連続して発光するようになっており、関連する光源に応じて能動状態の発光領域が得られる。通常、光源は、マトリクスディスプレイのフレーム走査と同期して発光する。例えば、フレーム周期中に全ての光源が一度発光する。この場合、マトリクスディスプレイのフレーム走査は、ピクセルのライン、通常は行を１つずつ選択することにより実行される。１つフレーム周期の後、ピクセルの全ラインを一度選択し、表示されている画像をリフレッシュする。或いは又、画像を表示するフレーム周期中に複数回光源を発光させることもできるし、又は同期させずに発光させることさえできる。必要に応じて、全光源（Ｌ１、…，Ｌｎ）を発光させる繰返しシーケンスに必要な期間を走査期間と称する。この場合、走査期間は、フレーム周期の持続時間の数倍に亘り存続するようにしてもよいし、又はフレーム周期に関連付けないようにすることもできる。説明を容易にするために、以下において、走査期間はフレーム周期と同じとする。
【０００７】
光源及びこれら光源による発光領域は、単一ラインのピクセルを対象としてもよいし、又は連続する複数のラインのピクセルのグループを対象とするようにしてもよい。このことは、特定の１つの光源から放射された光が、関連する発光領域に集中することを意味する。しかし、一部の光は発光領域の外側にも存在することになる。例えば、特定の光源の輝度が、関連する発光領域の中央における１００％であるとすると、この特定の光源の輝度は、隣接する発光領域の中央において５０％となるおそれがある。通常、光源は順次発光し、各光源はフレーム周期の一部においてのみ発光状態となる。代案として、複数の光源が順次に発光するようにしながらも、所定の時点では全ての光源が発光状態になるようにすることもできる。走査バックライトユニットにおいては、どの光源もフレーム周期の少なくとも一部においてスイッチオフされる必要がある。従って、いずれにしても種々の光源が発光する時点を異なるように規定することができる。従って、単一の光センサの位置において各光源の輝度に対する寄与を別々に決定することができる。従って、例えば、各光源について所望の輝度値からのずれを修正することができる。このような所望の輝度値からのずれは、光源に供給される出力を検出信号に応じて変化させることにより修正することができる。このようなずれは、光源の老朽化、種々の負荷、温度変化及び公差により生じるおそれがある。
【０００８】
光源は、単一の発光素子から構成することもできるし、又は複数の発光素子から構成することもできることに注意されたい。発光領域とは、光源の単一の発光素子に対応する又は複数の発光素子に対応する当該光源の光が集中する領域を意味する。発光領域とは、光源からの光を受ける領域ではない。通常、光を受ける領域は発光領域より大きくなる。すなわち、発光領域に関連する光源が光を生じると、発光領域が能動状態になるのである。光源は、いかなる種類のものとすることもできる。例えば、発光領域は、単一ランプ、複数のランプのグループ、ＬＥＤ（発光ダイオード）のマトリクス若しくは行、又はその他の小型発光装置と関連付けることができる。
【０００９】
請求項２に係る発明に基づく例では、制御部が、光センサの検出した輝度レベルを利用して、各光源の輝度が所望のものとなるように出力レベルを制御する。この処理は、検出信号を得る各時点でどの光源が発光しているか、及びセンサの位置においてこれらの能動状態の光源の各々の寄与係数がどの程度であるかが分かることにより可能となる。寄与係数は、能動状態の光源とセンサとの間の距離に応じたものであり、通常は使用するリフレクタの構造により予め定められる。
【００１０】
請求項３に係る発明に基づく例では、コンパレータにより、種々の検出時点における検出信号（又は検出信号から得られる信号）と、予め記憶された値とを比較させる。制御部が、予め記憶された値により示されるように、種々の検知時点における輝度が所望のものとなるように制御を行う。すなわち、各時点で発光する全ての光源が同じ輝度を生じる場合に、センサの位置においてどの程度の輝度に到達すべきかが各時点について記憶されている。輝度のずれが検出された場合には、どの光源がずれを生じているのかを決定し、供給される出力レベルを変化させてこのずれを補償することができる。
【００１１】
請求項４に係る発明に基づく例では、種々の時点における検出輝度に対する寄与度を規定する方程式を解くことができ、供給する出力レベルを調整してこれら検出時点における輝度レベルを所望のものとすることができる。これら種々の時点の各々において、検出輝度は関数の加重和に等しい。この加重和の加重係数は、種々の光源とセンサとの間の距離により決定されるもの、すなわち前述した寄与係数である。
【００１２】
各関数は、関連する１つ光源の輝度を、この光源に供給される出力レベルの関数として示す。これらの関数は、線形関数又はより複雑な関数とすることができる。これら関数は、係数の乗数及び光源に供給される出力の項を有するものとしうる。出力の項は、多項式が得られるように出力の累乗としてもよいし、又は対数項のようなより複雑な項としてもよい。通常、特定の種類の光源については、例えば老朽化や温度の作用により係数が時間によって変化する可能性はあるものの、関数の構成は既に知られている。各検出時点において、どの関数が検出輝度に用いられるのか、関数が幾つであるか、検出輝度及び加重係数が分かるため、係数を決定することができる方程式が得られる。検出サイクルを定期的に繰り返すことにより、これら係数が時間により変化する場合であっても正しい係数を決定することができる。正しい係数が決定されると、各光源の輝度が所望のものとなるように光源に供給される出力レベルを調整することができる。所望の輝度は、各光源について同一にすると共に、時間によっても同じに維持されるようにするのが好ましい。極めて複雑な関数によると、方程式から係数を解くのが非常に難しくなるおそれがある。従って、複雑な関数は、項数をできるだけ少なくした多項式により近似するのが好ましい。
【００１３】
請求項５に記載の本発明による例では、メモリに所定の加重係数及び関数を記憶させておく。種々の光源に関する加重係数の値及び関数は、実験的に決定することができる。通常、光源が同じ場合、使用する関数の構造は同一となり、係数のみが相違する。この場合、完全な関数の代わりに、各関数の係数と単一の関数の構造を表す単一のアルゴリズムとを記憶させておけば十分なものとしうる。
【００１４】
請求項６に記載の発明による例では、各検出時点において、制御部がドライバを制御して、全ての能動状態の光源に対して所定の出力レベルを与える。関数とこれら関数の係数とが分かれば、方程式系から加重係数を決定することができる。このことは、例えばシステムの使用開始時であることにより関数がほぼ同じである場合には極めて容易である。この場合、正確な加重係数を決定するのに簡単な検出段階を行えば十分である。これら所定の出力レベルは、全ての光源に対して同じものとしうる。
【００１５】
請求項７に記載の発明による例では、制御部がドライバを制御して、光源に対して１つずつ所定の出力レベルを与える。従って、この試験サイクル中に光源が１つずつ点灯する。この場合、簡単なアルゴリズムを用いることができる。各検出時点においてセンサにより検出される光は、単一の光源のみから発せられたものであることが分かっている。その結果、関連する加重係数を乗じた関連する関数のみが、検出輝度に関与することになる。関数の係数が１つだけの場合、既知の単一の出力を光源に与えることでこの係数を直接決定することができる。ここでは方程式系を解く必要がない。関数がより複雑で複数の係数を有する場合には、その光源のみが発光している期間中に異なる出力レベルで複数回の検出操作を行わねばならない。この場合、この方程式系のみを解けばよい。同じ検出時点に発光する光源がより多くある場合、極めて複雑な方程式系となる。
【００１６】
これまで説明した関数は検出期間中に時間的に不変であることに注目されたい。輝度は光源に供給される出力の関数として決定されるもので、複数の輝度値を検出する際に関数は変化しないものとされている。請求項１１に関して説明するように、検出期間中の関数の時間挙動を決定することもできる。
【００１７】
請求項８に記載の発明による例では、特定光源の輝度を１度サンプルすれば、単一項の関数の単一の係数を決定するができる。このことは、例えば関数の大部分が分かっている場合に該当する。例えば、関数が、線形又は高位の項の単一の係数のみを有する多項式の場合である。
【００１８】
請求項９に記載の発明による例では、光源の挙動がより複雑な場合に、多項式関数が関連する係数の複数項を有するものとしうる。この場合、この関数を規定する複数の係数を決定しうるように、異なる出力レベルにおける同一光源の輝度を検出する必要がある。
【００１９】
請求項１０に記載の発明による例では、発光中の光源に異なる出力レベルを与える種々の走査（例えばフレーム）期間の対応する時点における検出信号を用いることにより、計算機が関数を決定する。従って、この場合、異なる出力レベルにおいて同じ合計の関数に対して輝度が分かるため、より複雑な関数のより多くの係数を決定することができる。
【００２０】
請求項１１に記載の発明による例では、発光している同じグループの光源に関して異なる時点で輝度をサンプルして、輝度の時間挙動、すなわち関連する関数を決定することができる。
【００２１】
請求項１２に記載の発明による例では、種々の走査期間中に同じ光源を駆動して異なる輝度を生ぜしめるが、この際駆動信号のデューティサイクルは異なるようにして、統一性が一定になりこの輝度の変化が視覚的に分からないようにする。例えば、電流を減少させながらデューティサイクルを増やして、デューティサイクル及び電流レベルの乗数をほぼ一定にすることができる。これにより、より複雑な関数を規定しうるという利点が得られる。その理由は、係数を決定するのに種々の輝度値の検出信号を使用することができるためである。
【００２２】
請求項１３に記載の発明による例は、完全なバックライトユニットにおいて単一の光センサのみを必要とするものである。すなわち、光センサの数は最少でよく、このことは、各光源に対して光センサが必要とされる従来技術の米国特許出願第２００３／００１６２０５号明細書と対照的である。本発明による単一の光センサは各光源の光を受けるように配置する必要がある。
【００２３】
或いは又、複数の光センサを使用して、少なくとも２つの光源からなるグループに対してそれぞれを用いることができる。これにより、光センサの位置とそれに関連する光源の位置との間の距離がより短くなるという利点が得られる。検出される輝度の差がより小さくなり、また、センサが各光源からの光を受けるように配置する必要がなくなる。或いは又、各センサが各発光領域からの光を受けるようにすれば、全てのセンサの位置における各発光領域の寄与度が分かる。これにより、照射システムのずれ（偏り）を最小化することができるという利点が得られる。このようなずれは、リフレクタ又はリフレクタに対する光源位置の公差によって、或いはリフレクタ又は光源の局所的な汚損にによって生じるおそれがある。この場合においてもなお、必要とされるセンサの数は、各ランプに対してセンサを必要とする先行技術によりも著しく少ない。
【００２４】
請求項１４に記載の発明による例では、カラーディスプレイにおいて、光源は、異なる色の光を発光する種々の発光素子を有している。例えば、フルカラーディスプレイでは、各光源が、時間的に順次に発光する赤色、緑色及び青色の発光素子を有するようにしうる。フルカラーディスプレイは、１ピクセルあたり３つより多いサブピクセルを有するものとでき、例えば１つのピクセルが、赤色、緑色、青色及び白色のサブピクセルを有するようにしうる。異なる色の全てを感知する単一のセンサにより、順次に駆動される異なる色の光源のそれぞれについて検出輝度を得ることができる。従って、異なる色の光源の各々について前述したのと同じアプローチを採用することができる。
【００２５】
請求項１５に記載の発明による例では、異なる色の光に対してそれぞれ異なるセンサを使用する。これにより、より感度の高いセンサを使用しうるという利点が得られる。
【００２６】
請求項１６に記載の発明による例では、種々の色の検出値を用いて、種々の色の輝度値の比率を時間的に一定に維持する。従って、光源の老朽化や温度作用に拘わらず色の再現性を得ることができる。
【００２７】
好的例の詳細な説明
本発明の上述した及び他の観点を、添付図面を参照して以下に説明する。
図１は、図７に示すようなマトリクスディスプレイ１用の走査バックライトユニット（ＢＵ）を示す。この走査バックライトユニット（ＢＵ）は、単一の光感応センサ４のみを有する。この走査バックライトユニットＢＵは、更に、複数の光源Ｌ１〜Ｌｎを有している。この例では、これら光源は単一の細長状ランプとして示されている。これら光源Ｌ１〜Ｌｎは、集合的にＬｉとも称する。発光領域５は、単一の光源Ｌｉと関連している。発光領域５の各々には複数の光源Ｌｉを関連させてもよい。例えば、単一の発光領域５が、それぞれ異なる色の光を発光しうる複数のランプを有するものとすることができる。或いは又、単一の発光領域５は、１列の又は複数の列の発光素子、例えば発光ダイオードを有するようにすることもできる。
【００２８】
発光領域５は、マトリクスディスプレイの少なくとも１行のピクセル行をカバーするのが好ましい。ピクセル行が水平方向に延在する通常のマトリクスディスプレイでは、発光領域５も水平方向に延在している。ピクセル行が垂直方向に延在する転置ディスプレイでは、発光領域５も垂直方向に延在させる。光源Ｌｉの光は発光領域５に集中するのだが、この光の一部は発光領域５の外側に存在することになる。走査バックライトユニット（ＢＵ）では、光源からの光量は、通常、当該光源が関連する発光領域５から離れるに従い急速に減少する。発光領域５との用語は、単一の光源Ｌｉが関連する発光領域５に対応しているが、この光源Ｌｉは、関連する同一の発光領域５に対応する複数の発光素子を有していてもよいことを明確にするために特に使用するものである。
【００２９】
光源Ｌ１〜Ｌｎには、ドライバ２から駆動信号Ｄ１〜Ｄｎがそれぞれ供給される。
駆動信号Ｄ１〜Ｄｎは集合的にＤｉとも称する。光源Ｌ１〜Ｌｎは、マトリクスディスプレイ１のピクセル１０の行を走査するのと同期して発光する（図７も参照）。光感応センサ４が、全ての光源Ｌｉからの光を受けるような位置に配置されている。光感応センサ４の出力信号は、検出信号ＳＥＳである。この検出信号ＳＥＳは制御部３に送られ、この制御部３がドライバ２へ制御信号ＣＳを供給する。センサ４と第２光源Ｌ２との間の距離をＬＳＥとして示す。センサ４と光源Ｌｉとの間の距離をＬＳｉと称する。検出信号ＳＥＳは、センサ４及び光源Ｌｉ間の距離ＬＳｉと、光源Ｌｉに供給される出力と、検出時点ｔｓｉにおいて発光している光源Ｌｉの数と、光源Ｌｉの特性とに依存したものとなる。光源Ｌｉの特性は、例えば温度の作用又は老朽化により時間により変化する場合がある。
【００３０】
制御部３は、光源Ｌｉの輝度が所望のものとなるように、様々な方法でドライバ２を制御することができる。例えば、光源Ｌｉを１つずつ発光させて、光源Ｌｉのうちの１つのみが発光する期間が存在するようにしうる。発光している単一の光源Ｌｉとセンサ４との間の距離ＬＳｉが既知であるため、この距離ＬＳｉに対する加重係数を利用して検出信号ＳＥＳを補正することができる。発光している単一の光源Ｌｉに供給される出力Ｐｉを調整して所望の輝度を得ることができる。この調整処理は試行錯誤のアプローチとすることができる。この光源Ｌｉの輝度ＬＵｉが低すぎると検出された場合には出力Ｐｉを特定量増大させ、所望の輝度ＬＵｉが十分な精度で得られるまで同様にして輝度ＬＵｉを検出し出力Ｐｉを調整する。このような光源Ｌｉを１つずつ発光させるアプローチは、通常の動作中は行うことができないが、システムの動作開始時には極めて有用なものとなりうる。
【００３１】
或いは又、光源Ｌｉに供給される出力Ｐｉの関数としてその光源Ｌｉの輝度ＬＵｉを示す関数Ｆ（図３参照）を用いることができる。この関数Ｆ及び加重係数ＷＦ（図３参照）の双方が既知であれば、検出輝度ＬＵｉと所望の輝度との差を補償するのに必要な出力Ｐｉを直接算出することができる。また、関数Ｆは既知であるが加重係数ＷＦが分からない場合、各光源Ｌｉに１つずつ同じ出力Ｐｉを供給することで加重係数ＷＦを決定することができる。加重係数ＷＦは時間により変化する場合がある。加重係数ＷＦが周知であれば、同様にして関数Ｆを決定することができる。これら関数Ｆは、異なる光源Ｌｉに対しては違うものとなる場合があり、また時間により変化するおそれがある。この場合、既知の出力Ｐｉを用いた検出サイクルを定期的に実施することにより、時間による加重係数ＷＦ又は関数Ｆの変化を追跡観測することができる。異なる出力Ｐｉにおいて検出する必要がある検出信号ＳＥＳの数は、関数Ｆの複雑性に依存する。光源Ｌｉの挙動が、単一項を有する線形関数Ｆにより十分正確に近似されていれば、１回測定すれば十分である。種々の測定は、例えばシステムのスイッチをオンにする毎に実施される特別試験期間中に行なうことができる。或いは又、種々の測定を、システムの通常動作中に行うこともできる。これらの種々の出力Ｐｉは、できる限り目に見えないようにする必要がある。例えば、これら種々の出力Ｐｉは、駆動信号Ｄｉのデューティサイクルを異ならしめることにより補償することができる。例えば、出力Ｐｉを半分にした場合、デューティサイクルを０．５から１に変化させる。マトリクスディスプレイ１に送られるデータ信号Ｃ１〜Ｃｍにおいて補償を行うこともできる。
【００３２】
他の例では、複数の隣接する光源Ｌｉを同じ期間中に発光させる。検出信号ＳＥＳは、センサ４の位置におけるこれら全ての発光光源Ｌｉの輝度ＬＵｉの合計を表す。この場合、センサ４の位置における輝度は、各発光光源Ｌｉに対する関数Ｆｉ（Ｐｉ）、加重係数ＷＦｉ及び関数Ｆ（Ｐｉ）の加重和ΣＷＦｉ＊Ｆｉ（Ｐｉ）となる。この加重和の加重係数ＷＦｉは、光源Ｌｉの位置とセンサ４の位置との間の距離ＬＳｉに依存したものであり、加重係数ＷＦとも称する。関数Ｆｉ（Ｐｉ）は、光源の輝度を与えられた出力Ｐｉの関数として示すものであり、Ｆとも称する。この構成における制御部３の動作は、図４及び５により説明される。
【００３３】
図２は、走査バックライトユニット（ＢＵ）の制御部３の実施例を示す。この制御部３は、メモリ３２及びコンパレータ３０を有する。このメモリは、検出した時点ｔｓｉにおいて、検出信号ＳＥＳがどのような値をとるべきかを示す予め記憶された値ＰＳＶを有している。このコンパレータ３０は、検出信号ＳＥＳと予め記憶された値ＰＳＶとを受け取り、ドライバに対して制御信号ＣＳを供給する。このコンパレータ３０は、ドライバ２に制御信号ＣＳを介して指示を出して光源Ｌｉに供給される出力Ｐｉを調整することにより、各検出時点ｔｓｉにおける、検出信号ＳＥＳとそれに関連する予め記憶された（所望の）ＰＳＶ値と間のいかなる偏差も修正する。通常、この処理は双方向的アプローチとして行われる。特に、光源Ｌｉのグループが同じ期間において発光する場合や、光源Ｌｉの異なるグループの期間が重複する場合には、各光源Ｌｉに対して最適な出力Ｐｉを見つけ出すのに時間がかかることがある。
【００３４】
図３は、走査バックライトユニット（ＢＵ）の制御部３の他の実施例を示す。この制御部３は、メモリ３２及び計算ユニット３０を有する。このメモリ３３には、出力Ｐｉの関数として光源Ｌｉの輝度ＬＵｉを決定する関数Ｆ及び加重係数ＷＦが記憶されている。計算ユニット３１に対して関数Ｆの構造が既知である場合には、実際に関数Ｆを記憶させる代わりに、関数Ｆの係数ＣＯを記憶させておけば十分なこともある。この場合、計算ユニット３１は、関数Ｆの構造と、その係数ＣＯと、加重係数ＷＦとから、計算輝度を容易に算出することができる。
【００３５】
例えば、光源Ｌｉが順次に発光する場合、常に単一の光源Ｌｉのみが、検出信号ＳＥＳに関与することになる。計算ユニット３１は、光源Ｌｉに供給される実効出力Ｐｉと、関連する加重係数ＷＦと、関連する関数Ｆとを用いて計算輝度を決定する。加重係数ＷＦは、光源Ｌｉとセンサ４の位置との間の距離ＬＳｉから予め定められている。関数Ｆは、使用する光源Ｌｉの種類に応じた所定のものである。計算輝度と、検出信号ＳＥＳにより決定された検出輝度とを比較する。計算輝度が、検出輝度からずれている場合、制御信号ＣＳを介して出力Ｐｉを調整する必要がある。この場合も、この処理は双方向的処理とすることができる。
【００３６】
例えば、光源Ｌｉが順次に発光するが、光源の発光する期間が重複している場合（例えば図４を参照）にも、係数ＣＯを決定することができる方程式系が得られる。係数ＣＯが既知となれば、所望の輝度が得られるように光源Ｌｉに供給される出力Ｐｉを調整することができる。
【００３７】
図４は、異なるグループの光源Ｌｉが、フレーム周期Ｔｆ内の一定時間ｔの関数として輝度ＬＵｉを有するが、これら輝度がフレーム周期Ｔｆ内の異なる期間において存在することを示す。図４は更に、センサ４により輝度を検出する関連した検出時点ｔｓｉ（ｔｓ１〜ｔｓｎ）を示す。図４Ａは、光源Ｌ１が輝度ＬＵ１の光を発するｔ０〜ｔ３の期間を示す。図４Ｂは、光源Ｌ２が輝度ＬＵ２の光を発するｔ１〜ｔ４の期間を示す。図４Ｃは、光源Ｌ３が輝度ＬＵ３の光を発するｔ２〜ｔ５の期間を示す。図４Ｄは、光源Ｌｎが輝度ＬＵｎの光を発するｔ６〜ｔ７の期間を示す。図４Ｅは、可能な検出時点ｔｓ１、ｔｓ２、ｔｓ３、…、ｔｓｎの例を示す。この例では、検出時点ｔｓｉを、時点ｔ０、ｔ１、ｔ２、ｔ３、…、ｔ７のそれぞれの内から選択している。従って、時点ｔ２〜ｔ３の期間では、３つの光源Ｌ１、Ｌ２、Ｌ３が、検出時点ｔｓ３においてセンサ４により検出される輝度に関与することになる。各検出時点ｔｓ１、ｔｓ２、ｔｓ３、…、ｔｓｎにおける検出輝度を等式化することにより、係数ＣＯを解くことができる方程式系が得られる。
【００３８】
このことを、バックライトユニットＢＵが、水平方向に延在する細長状ランプである４つの光源Ｌ１〜Ｌ４のみを具える簡単な例により説明する。この例は、図４に図示するものではない。また、この例で使用する検出時点ｔｓ１〜ｔｓ４は、図４に示す検出時点ｔｓ１〜ｔｓ４と同じものではない。出力Ｐｉの関数としてランプＬｉの輝度ＬＵｉを規定する輝度の関数Ｆｉはそれぞれ、出力Ｐｉに単一の係数ＣＯｉを乗じたものからなる。すなわち、
ＬＵｉ＝Ｆｉ（Ｐｉ）＝ＣＯｉ＊Ｐｉ  （ｉ＝１，２，３又は４）
ランプＬ２に対するセンサ４の垂直方向の距離ＬＳｉは０である（図５Ａ参照）。ランプＬｉの強度は、隣接する２つのランプＬｉ間の垂直方向の距離により半減する。従って、ランプＬ１及びＬ３の加重係数ＷＦは０．５になり、ランプＬ２の加重係数ＷＦは１になり、ランプＬ４の加重係数ＷＦは０．２５になる。各ランプＬｉがオンとなる時間は、フレーム時間Ｔｆの半分である。第１検出時点ｔｓ１では、ランプＬ１及びＬ２が発光し輝度Ｌ（ｔｓ１）を発生する。第２検出時点ｔｓ２では、ランプＬ２及びＬ３が発光し輝度Ｌ（ｔｓ２）を発生する。第３検出時点ｔｓ３では、ランプＬ３及びＬ４が発光し輝度Ｌ（ｔｓ３）を発生する。第４検出時点ｔｓ４では、ランプＬ４及びＬ１が発光し輝度Ｌ（ｔｓ４）を発生する。結果として以下の４つの等式が成立する。
Ｌ（ｔｓ１）＝０．５＊ＣＯ１＊Ｐ１＋ＣＯ２＊Ｐ２
Ｌ（ｔｓ２）＝ＣＯ２＊Ｐ２＋０．５＊ＣＯ３＊Ｐ３
Ｌ（ｔｓ３）＝０．５＊ＣＯ３＊Ｐ３＋０．２５＊ＣＯ４＊Ｐ４
Ｌ（ｔｓ４）＝０．５＊ＣＯ１＊Ｐ１＋０．２５＊ＣＯ４＊Ｐ４
これら４つの等式から係数ＣＯ１〜ＣＯ４を決定しうることは明らかである。これら係数ＣＯ１〜ＣＯ４を決定してしまえば、輝度Ｌ（ｔｓ１）〜（ｔｓ４）が所望のレベルになるように、出力Ｐ１〜Ｐ４を調整しうるようになる。その結果、輝度ＬＵ１〜ＬＵ４は所望のレベルになる。
【００３９】
ただし、センサ４は校正しえないため、異なる検出時点ｔｓ１〜ｔｓ４において検出信号ＳＣＳから得られる輝度Ｌ（ｔｓ１）〜Ｌ（ｔｓ４）の正確な値は分からない。通常、センサ４は、例えばホトダイオードであり、線形挙動を呈するため、ディスプレイの絶対的な輝度を知る必要はない。従って、原則としてセンサを校正する必要はない。但し、考えられる方法としては、最も低い輝度ＬＵｉのランプＬｉに公称出力Ｐｉを給電することを意味する最小の係数ＣＯｉに関して基準を設定しておくことがあげられる。他のランプＬｉは、同じ係数により低減した出力Ｐｉで駆動されることになる。
【００４０】
検出精度を改善すると共に、妨害やオーバーシュートを防止するために、出力Ｐｉの調整は、例えば複数のフレーム周期において決定された係数ＣＯｉを平均化することで徐々に行うことができる。
【００４１】
センサ４の位置における光源Ｌｉの加重係数ＷＦｉは自動的に決定することができる。このことは、機械的公差が要因となり加重係数ＷＦｉが十分正確に分かっていない場合に極めて重要である。光源Ｌｉが新しいもので十分に等しいものであれば、この処理は極めて簡単なものとなる。制御部３は、好ましくは１つの全て同じ所定値の係数ＣＯｉにより輝度を検出するように構成することができる。これにより、方程式系から加重係数ＷＦを決定することができるようになる。その後、決定された加重係数ＷＦを、以降の使用のためにメモリ３３に記憶させておくことができる。
【００４２】
図５は、輝度ＬＵｉが時間内で変化し、且つ異なる期間内で発光する光源Ｌｉの種々のグループを示す。図５は更に、センサ４が輝度Ｌｕｉを検出する関連した検出時点ｔｓｉを示す。図５Ａは、バックライトユニットＢＵの構造を例として線図的に示す。このバックライトユニットＢＵは、水平方向に延在する細長状ランプである４つの光源Ｌ１〜Ｌ４のみを具える。ランプＬ２に対するセンサ４の垂直方向の距離は０である。図５Ｅ〜図５Ｂは、フレーム周期Ｔｆ中にランプＬ１〜Ｌ４それぞれから得られる、時間ｔに応じた輝度ＬＵ１〜ＬＵ４を例として示す。図５Ｆは、検出信号ＳＥＳを検出する検出時点ｔｓ１１〜ｔｓ１８を示す。
【００４３】
第１ランプＬ１は時点ｔ０で点灯し、第２ランプＬ２は時点ｔ１０で点灯し、第３ランプＬ３は時点ｔ１１で点灯し、第４ランプＬ４は時点ｔ１２で点灯する。各ランプＬ１〜Ｌ４の輝度ＬＵｉは、それぞれのランプが点灯する時点ｔｉからフレーム周期Ｔｆの半分が過ぎた後にゼロに戻る。
【００４４】
説明を容易にするために、ランプＬ１〜Ｌ４のスイッチオン及びスイッチオフの挙動は同じものとする。これらランプＬ１〜Ｌ４の挙動は異なるものであってもよい。ランプＬ１〜Ｌ４のうちの隣接する２つのランプが順次にスイッチオンされる時点ｔｉ間の期間である１回の検出期間あたり２回の検出操作を行うことが示されている。例えば、時点ｔ１０からｔ１１までの検出期間内では、時点ｔｓ１３及びｔｓ１４において２つの輝度値ＬＵｉが検出される。この検出期間中輝度ＬＵ１は固定値であるため、輝度の変化は完全にランプＬ２の輝度によるものとなる。これら２つの検出値からランプＬ２の輝度変化に関する時定数を決定することができる。より複雑な時間挙動をモデル化する必要がある場合には、同一の検出期間中により多くの検出操作を行うことができる。制御部３は、可変時定数によりランプＬ１〜Ｌ４のこの時間変化挙動を再現することができる。
【００４５】
この場合も、検出時点ｔｓｉにおける検出輝度の値を、各ランプＬｉに供給される出力Ｐｉに応じた当該ランプＬｉの輝度ＬＵｉを与える関数Ｆｉの加重和と等式化することにより、方程式系を利用することができる。この方程式系から係数ＣＯｉ及び時定数を決定することができる。これにより、輝度ＬＵｉを動的に制御する場合に重要となる所定の輝度ＬＵｉを得るのに必要なオン時間を計算しうるようになる。輝度ＬＵｉの動的制御は、暗いシーンにおいてグレーレベル解像度を向上させうるので有利である。暗いシーンにおいてはバックライティングの輝度を低減させてデータ中で利用しうるグレーレベルをより多くして所望の輝度を達成することができる。走査バックライトユニットＢＵでは、光源Ｌｉのオン時間を短くすることによりバックライトを暗くすることができる。オン時間は、バックライトユニットＢＵの全光源Ｌｉについて同じ係数により短くしてもよいし、或いは光源毎に異なるものとしてもよい。
【００４６】
例えばスイッチオン時定数及びスイッチオフ時定数が相違する場合には、１回の検出期間あたり２回を超える検出時点ｔｓｉとすることもできる。この場合、光源Ｌｉの時間挙動は既知であり、光源Ｌｉに供給される出力Ｐｉのフィードフォワード補償を行いインパルス応答をより早くすることができる。
【００４７】
光源Ｌｉの挙動が、輝度ＬＵｉとこの光源に供給される出力Ｐｉとの間で非線形となるものである場合にも、関連する複数の係数ＣＯｉを決定しうるようにするため、輝度ＬＵｉを複数回検出する必要がある。このことは、光源Ｌｉを広い輝度範囲にわたり暗くする必要がある場合に特に重要になる。これらの検出操作を通常操作中に行う必要があるのであれば、異なる暗さレベルが存在していることにより異なる出力／輝度値を利用しうる期間を存在させるべきである。そうでない場合には、順次のフレーム中に制御部３から試験信号を発生させて同じ光源Ｌｉに対して異なる出力Ｐｉが供給されるようにすると共に、この出力Ｐｉの変化がほぼ分からないようにデューティサイクルを補正するべきである。
【００４８】
従って、通常操作中に出力Ｐｉが頻繁に変化する場合には、出力Ｐｉが異なる種々の期間の検出値ＳＥＳを用いて、（複数の係数ＣＯｉを有する）高次の方程式系を得ることができる。例えば、同じ光源Ｌｉに対して、全出力Ｐｉのサイクルと半分の出力Ｐｉのサイクルとの双方が利用可能であれば、光源の輝度ＬＵｉ及びこの光源Ｌｉに供給される出力Ｐｉの次の線形方程式の係数ＣＯ１及びＣＯ２を算出することができる。
ＬＵｉ＝ＣＯ１＋ＣＯ２＊Ｐｉ
【００４９】
或いは又、通常操作中に出力Ｐｉが変化しないか、又は殆ど変化しない場合には、制御部３から試験信号を供給させる。例えば、制御部３は、光源Ｌｉを暗くすることと、それに対応してオン時間を増加させて低い輝度ＬＵｉを補償することとの双方を行うことができる。制御部３に対して光源Ｌｉのスイッチオン特性が既知であれば、いかなる可視状態も乱すことなくこれらの試験信号を発生させることができる。
【００５０】
センサ４の位置において種々の光源Ｌｉが輝度に貢献する度合いは、光源Ｌｉの温度負荷の違いや、発光した光において紫外線の占める割合の相違や、ほこりの影響により、光源Ｌｉの耐用寿命中に変化するおそれがある。２つ以上のセンサ４、４０、４１（図６を参照）を異なる位置に配置することで、これらの影響を検出することができる。追加の方程式系を用いてこのような影響を決定することができる。通常、バックライトユニットＢＵをスイッチオンした時点では、全ての光源Ｌｉは同じ特性（例えば、ランプＬｉは全てが同じ温度である）を有する。バックライトユニットＢＵをスイッチオンした直後に、参照走査を行うことで、位置及びほこりの影響を決定することができる。画像を表示させない限り、この処理は、光源Ｌｉを１つずつ点灯させ且つこれら光源Ｌｉのオン時間が重複しないようにすることで極めて簡単に行うことができる。
【００５１】
バックライトユニットＢＵの特性がゆっくり変化する場合には、これらの変化を追跡するのに十分なペースで繰返し検出を行う必要がある。これらの影響は、特に動的なバックライト照射を利用する場合に関係することになる。各ランプＬｉの温度は、各ランプＬｉの平均出力により数秒の時間窓で変化するおそれがある。また、全てのランプＬｉの全体平均出力により数分の時間窓でリフレクタ内の環境温度が変化し、このことによってもランプＬｉの温度は影響を受けることになる。
【００５２】
実際例では、これら多くの影響を同時に補償するのが好ましい。従って、光源Ｌｉの輝度を出力Ｐｉ及び関連する時間作用の関数として説明するモデルにより、使用する光源Ｌｉを正確に取り扱うべきである。検出時点ｔｓｉの回数は、光源Ｌｉの時間依存性や非線形特性を取り扱うのに足りる充分な回数を選択する必要がある。必要であれば、試験信号を発生させて、係数ＣＯを決定可能とするのに充分な等式を得るのに必要な輝度値ＬＵｉを検出することができる。このような最適解は極めて複雑なようにも思われるが、変化速度が非常に遅く必要な計算を行うのに充分な時間が利用できるため、制御部３は小型で簡単な回路にすることができる。
【００５３】
図６は、３つの光感応センサ４、４０、４１を用いたフルカラーマトリクスディスプレイ用の走査バックライトユニットＢＵを示す。ここで、光源Ｌｉは、異なる色を発光する発光素子Ｌｉｊの種々のグループ５を有する。図６に示す例では、各グループ５は３つの発光素子Ｌｉｊを有する。図６では２つのグループのみを示しており、バックライトユニットＢＵの上方にある一方のグループは、発光素子Ｌ１１、Ｌ１２及びＬ１３を有し、バックライトユニットの下方にある他方のグループは、発光素子Ｌｎ１、Ｌｎ２及びＬｎ３を有する。発光素子Ｌ１１〜Ｌｎ１は、第１色、例えば赤色の光を発生する。発光素子Ｌ１２〜Ｌｎ２は、第２色、例えば緑色の光を発生する。発光素子Ｌ１３〜Ｌｎ３は、第３色、例えば青色の光を発生する。
【００５４】
これらの３色全てを検出する単一のセンサ４を用いることもできるが、図６の例では、それぞれ第１色、第２色及び第３色のみを検出しその他の色は検出しない３つセンサ４、４０、４１を使用している。センサ４が検出信号ＳＥＳを与え、センサ４０が検出信号ＳＥＳ１を与え、センサ４１が検出信号ＳＥＳ２を与える。制御部３は、これら検出信号ＳＥＳ、ＳＥＳ１及びＳＥＳ２を受信し、それぞれの色に対して別々に前述したような作業のいずれかを行うことができる。更に、制御部３は、検出された輝度値の割合を追跡調査し、所望の白色点が得られる所望の比率に等しくなるよう異なる色の寄与比率を維持することができる。異なる色の発光素子を３色より多くしてもよい。
【００５５】
図７は、マトリクスディスプレイを示す。マトリクスディスプレイ１は、選択電極Ｒ１〜Ｒｎ及びデータ電極Ｃ１〜Ｃｍの交点にある画素１０のアレイを有する。特定の選択電極或いは複数の選択電極を共通してＲｉと示すが、何を指しているのかは文脈から明確であろう。特定のデータ電極或いは複数のデータ電極を共通してＣｊと示すが、この場合も何を指しているのかは文脈から明確であろう。図示した例では、選択電極Ｒｉが行電極であり、データ電極Ｃｊが列電極である。代案として、選択電極Ｒｉを列方向に延在させ、データ電極Ｃｊを行方向に延在させることができる。
【００５６】
選択電極Ｒｉに対しては選択ドライバＳＤから選択電圧が印加される。データ電極Ｃｊに対してはデータドライバＤＤからデータ電圧が印加される。制御部ＣＴは、マトリクスディスプレイ１に表示すべき入力信号ＩＳを受信し、選択ドライバＳＤに制御信号ＣＴＯ２を与え、データドライバＤＤに制御信号ＣＴＯ１を与える。この制御部ＣＴは選択ドライバＳＤ及びデータドライバＤＤを制御して、入力信号ＩＳに含まれる画像情報をマトリクスディスプレイ１に表示させる。通常、選択ドライバＳＤがピクセル１０の行を１つずつ選択するとともに、データドライバＤＤがピクセル１０の選択された行と平行なデータ電極Ｃｊにデータ信号を与える。光源Ｌｉが発光している期間は、ピクセル１０の行の選択と同期している。マトリクスディスプレイ１は、モノクロディスプレイ又はカラーディスプレイとすることができる。マトリクスディスプレイは液晶ディスプレイとすることができる。
【００５７】
上述した実施例は、本発明を説明するためのものでありこれを限定する為のものではなく、当業者は本願の特許請求の範囲内を逸脱することなく多くの代替的実施例を構成することができる。
【００５８】
本発明は、複数の異なる素子を有するハードウェアにより実施することもできるし、適切にプログラムしたコンピュータにより実施することもできる。いくつかの手段を列挙する装置の発明においては、これら複数の手段は、一つの同じハードウェアにより実現することができる。ある手段が互いに異なる従属請求項に記載されていることは、これら手段を組合わせて利点が得られないことを意味するものではない。
【図面の簡単な説明】
【００５９】
【図１】図１は、単一の光感応センサを有するマトリクスディスプレイ用の走査バックライトユニットを示す線図である。
【図２】図２は、走査バックライトユニット（ＢＵ）の制御部の例を示す線図である。
【図３】図３は、走査バックライトユニットの制御部の他の例を示す線図である。
【図４】図４Ａ〜図４Ｅは、異なる光源のグループの有する時間内で一定であるが異なる期間に存在する輝度と、センサが輝度を検出する関連する検出時点とを示す線図である。
【図５】図５Ａ〜図５Ｆは、異なる光源のグループの有する時間内で輝度が変化し、異なる期間に存在する輝度と、センサが輝度を検出する関連する検出時点とを示す線図である。
【図６】図６は、３つの光感応センサを用いたフルカラーマトリクスディスプレイ用の走査バックライトユニットを示す線図である。
【図７】図７は、走査バックライトユニットを有するマトリクスディスプレイを示す線図である。
【図１】
2007537477.tif 000003
【図２】
2007537477.tif 000004
【図３】
2007537477.tif 000005
【図４Ａ】
2007537477.tif 000006
【図４Ｂ】
2007537477.tif 000007
【図４Ｃ】
2007537477.tif 000008
【図４Ｄ】
2007537477.tif 000009
【図４Ｅ】
2007537477.tif 000010
【図５Ａ】
2007537477.tif 000011
【図５Ｂ】
2007537477.tif 000012
【図５Ｃ】
2007537477.tif 000013
【図５Ｄ】
2007537477.tif 000014
【図５Ｅ】
2007537477.tif 000015
【図５Ｆ】
2007537477.tif 000016
【図６】
2007537477.tif 000017
【図７】
2007537477.tif 000018
【国際調査報告】
2007537477.tif 000019
2007537477.tif 000020
2007537477.tif 000021